(57)【要約】      （修正有）【課題】高精度にシート状の糸条の欠陥、特にシート状の糸条上に発生した毛羽や毛玉をオンラインで検査し、また前記シート状の糸条の欠陥の種類や大きさを特定する糸条の欠陥検査方法および検査装置を提供する。【解決手段】一方向に並行に引きそろえられた単繊維の束からなる糸条１に測定光３を照射し、前記糸条からの反射光４あるいは透過光５を受光し、受光量変化から欠陥を検査する方法において、前記欠陥が単繊維が切れて絡み合い、前記糸条と異なる方向を含む複数の単繊維の集合体であって、前記測定光を前記糸条の幅を超えた範囲に照射し、かつ前記糸条の幅を超えた受光面をもつ受光手段６により、前記単繊維の集合体によって前記測定光が前記受光手段の光軸と異なる方向へ反射されることによる前記反射光あるいは透過光の光強度の減少を検出することで糸条の欠陥を検査することを特徴とする糸条の欠陥検査方法。【選択図】図４
2008203251.tif 000002
【特許請求の範囲】
【請求項１】
一方向に並行に引きそろえられた単繊維の束からなる糸条に測定光を照射し、前記糸条からの反射光を受光し、前記反射光の光強度から欠陥を検査する方法において、前記欠陥が単繊維が切れて絡み合い、前記糸条と異なる方向を含む複数の単繊維の集合体であって、前記測定光を前記糸条の幅を超えた範囲に照射し、かつ前記糸条の幅を超えた受光面をもつ受光手段により、前記単繊維の集合体によって前記測定光が前記受光手段の光軸と異なる方向へ反射されることによる前記反射光の光強度の減少を検出することで糸条の欠陥を検査することを特徴とする糸条の欠陥検査方法。
【請求項２】
一方向に並行に引きそろえられた単繊維の束からなる糸条に測定光を照射し、前記糸条からの透過光を受光し、前記透過光の光強度から欠陥を検査する方法において、前記欠陥が単繊維が切れて絡み合い、前記糸条と異なる方向を含む複数の単繊維の集合体であって、前記測定光を前記糸条の幅を超えた範囲に照射し、かつ前記糸条の幅を超えた受光面をもつ受光手段により、前記単繊維の集合体によって前記測定光が遮光されることによる前記透過光の光強度の減少を検出することで糸条の欠陥を検査することを特徴とする糸条の欠陥検査方法。
【請求項３】
一方向に並行に引きそろえられた単繊維の束からなる糸条を検査する方法であって、請求項１に記載の方法と請求項２に記載の方法を併用または使い分けることを特徴とする糸条の欠陥検査方法。
【請求項４】
前記測定光がシート光で、該シート光の糸条の走行方向の厚さが１〜１０ｍｍである請求項１または２に記載の糸条の欠陥検査方法。
【請求項５】
前記測定光がシート光で、該シート光が、前記糸条と交差し、かつ前記シート光の面と前記糸条の面とのなす角θが６０〜１２０度の範囲である請求項１〜４のいずれかに記載の糸条の欠陥検査方法。
【請求項６】
前記測定光および前記受光手段の幅と前記糸条の幅との差が１〜４０ｍｍである請求項１〜５のいずれかに記載の糸条の欠陥検査方法。
【請求項７】
請求項１〜６のいずれかに記載の方法で得られた、前記糸条の欠陥の検査結果をもとに糸条の品質管理を行うことを特徴とする糸条の品質管理方法。
【請求項８】
請求項１〜６のいずれかに記載の方法で得られた、前記糸条の欠陥の検査結果をもとにパッケージ毎の品質管理を行うことを特徴とするパッケージの品質管理方法。
【請求項９】
一方向に並行に引きそろえられた単繊維の束からなる糸条に測定光を照射する手段と、前記糸条からの反射光を受光する手段とを用いて、前記反射光の光強度から糸条の欠陥を検査する装置において、前記欠陥が単繊維が切れて絡み合い、前記糸条と異なる方向を含む複数の単繊維の集合体であって、前記測定光を照射する手段が、前記測定光を前記糸条の幅を超えた範囲に照射するものであり、かつ前記反射光を受光する手段が、前記糸条の幅を超えた受光面をもち、前記単繊維の集合体によって前記測定光が前記受光手段の光軸と異なる方向へ反射されることによる前記反射光の光強度の減少を検出することで糸条の欠陥を検査するものであることを特徴とする糸条の欠陥検査装置。
【請求項１０】
一方向に並行に引きそろえられた単繊維の束からなる糸条に測定光を照射する手段と、前記糸条からの透過光を受光する手段とを用いて、前記透過光の光強度から糸条の欠陥を検査する装置において、前記欠陥が単繊維が切れて絡み合い、前記糸条と異なる方向を含む複数の単繊維の集合体であって、前記測定光を照射する手段が、前記測定光を前記糸条の幅を超えた範囲に照射するものであり、かつ前記透過光を受光する手段が、前記糸条の幅を超えた受光面をもち、前記単繊維の集合体によって前記測定光が遮光されることによる前記透過光の光強度の減少を検出することで糸条の欠陥を検査するものであることを特徴とする糸条の欠陥検査装置。
【請求項１１】
一方向に並行に引きそろえられた単繊維の束からなる糸条に測定光を照射する手段と、前記糸条からの反射光および／または透過光を受光する手段とを用いて、前記反射光および／または透過光の光強度から糸条の欠陥を検査する装置において、前記欠陥が単繊維が切れて絡み合い、前記糸条と異なる方向を含む複数の単繊維の集合体であって、前記測定光を照射する手段が、前記測定光を前記糸条の幅を超えた範囲に照射するものであり、かつ前記反射光および／または前記透過光を受光する手段が、前記糸条の幅を超えた受光面をもち、前記単繊維の集合体によって前記測定光が遮光されることによる前記反射光および／または前記透過光の光強度の減少を検出することで糸条の欠陥を検査するものであることを特徴とする糸条の欠陥検査装置。
【請求項１２】
被検査糸条の幅が１０〜３０ｍｍであれば反射光を受光することにより、被検査糸条の幅が５ｍｍ以下であれば透過光を受光することにより、被検査糸条の幅が５〜１０ｍｍであれば反射光および／または透過光を受光することにより、糸条の欠陥を検査することを特徴とする請求項１１に記載の糸条の欠陥検査装置を使用する糸条の欠陥検査方法。
【発明の詳細な説明】
【技術分野】
【０００１】
本発明は糸条の欠陥を検査する方法、特に一方向に引きそろえられた単繊維の束からなる糸条に発生した、毛羽や毛玉を検出する糸条の欠陥検査方法および検査装置に関する。
【背景技術】
【０００２】
比弾性率が大きく、かつ比強度が大きい炭素繊維からなる炭素繊維織物と、合成樹脂とを複合し、所定形状に成形された炭素繊維強化プラスチック（以下、「ＣＦＲＰ」という）などの複合材は、その優れた特性を生かして、航空機の構造材などに使用されている。
【０００３】
さて、炭素繊維は、繊維が太くなり繊度が大きくなるほどプリカーサおよび耐炎化工程や焼成工程での生産性が向上し、安価な炭素繊維を製造することが可能となる。しかしながら、以前の炭素繊維織物には、太い炭素繊維糸条を使用した場合は一般にＣＦＲＰを成形するときの樹脂含浸性が悪くなり、一方、細い炭素繊維糸条を使用した目付の小さい炭素繊維織物では、炭素繊維糸間に形成される空隙が大きくなるため、炭素繊維糸間に形成される空隙部に樹脂のボイドが集中的に発生し、高性能なＣＦＲＰが得られなくなるという欠陥があった。
【０００４】
このような欠陥に対しては、一方向に平行に引きそろえられた単繊維の束からなり、無撚りで、かつ薄くて幅の広い扁平である、シート状の炭素繊維糸条からなる炭素繊維扁平糸条織物を用いることにより、厚みを抑え、太い炭素繊維を用いた場合でも扁平化により優れた強度特性を有するＣＦＲＰを成形できるようにした技術が提案されている（例えば、特許文献１参照）。
【０００５】
したがって、炭素繊維扁平糸条織物に用いる、一方向に平行に引きそろえられた単繊維の束からなるシート状の炭素繊維糸条の需要が高まっており、またそれに伴い前記シート状炭素繊維糸条生産工程またはその前駆体であるシート状プリカーサ生産工程おいても、シート状の糸条の品質に対する要求が高まっている。
【０００６】
シート状の糸条の生産工程においては、通常、糸の生産工程と同様に、単繊維切れにより生じる毛羽、毛玉、糸切れ、糸割れなどの欠陥が、生産工程中の張力変動や熱処理温度変動などによって糸条の外部および内部構造が変化することにより生じる。このようなシート状の糸条の欠陥は、シート状の糸条の品質に大きく影響するため、その欠陥を精度良く検出することは品質管理上非常に重要なことであり、また早期に欠陥の多発を検知することができれば、製品歩留まりの向上にもつながるため、オンラインでその欠陥の検査を行うことも重要である。
【０００７】
従来、糸条の欠陥、特に糸条に発生した毛羽や毛玉をオンラインで検査する技術としては、投光部より糸幅を超える大きさの検査領域に光を照射し、受光部により糸条が検査領域中を走行する際の検査領域における透過光量あるいは反射光量を検出して、その光量変化により糸条に発生した毛玉を検出するものが提案されている（例えば、特許文献２参照）。
【０００８】
しかしながら、特許文献２に記載される測定方法では、特にシート状の糸条の幅が太い場合には、図１の（B）に示すようなフィラメント糸上や糸条幅の細いシート状糸条の面上の毛玉は検出することができても、図１の（A）に示すような幅の広いシート状の糸条の面上の毛玉は、センサ光が糸条を透過しない場合には光量変化が生じず、毛玉を検出することができない。また、特許文献２に記載される反射光を用いた方法では、フィラメント糸上の毛玉による反射光量の増加により毛玉の検出を行うとあるが、図１に示すようなシート状の糸条の面上の毛玉を反射光量の増加により検出するためには、毛玉により生じた散乱光を受光部により受光する必要があり、糸の材質が反射率の少ないものであった場合、反射光量の増加を検出することが困難であり、また散乱光で毛玉の検出を行う方式では、生産工程で発生する毛玉の形状が不均一であることから、同様の大きさの毛玉からの散乱光量も不均一であり、よって毛玉の大きさを測定することが難しいという問題があった。
【０００９】
一方で、シート状の糸条の欠陥を検査する方法としては、カメラを用いて糸条を撮像し、画像処理によりシート状の糸条の欠陥を検出する方法が提案されているが（例えば、特許文献３参照）、ライン速度が速い場合には精度の良い撮像が難しく、また画像処理速度に限界があることから数ｍｍ程度の大きさの毛玉を検出することが難しいこと、またカメラが光電方式のセンサと比較し高価なことが問題である。
【００１０】
また一方で、シート状の糸条の欠陥を検査する方法として、糸条の片側側方に投光手段を配し、糸条を挟んで反対側に受光手段を配し、光束の中、あるいは直上部、あるいは直下部に糸条を配し、糸条に発生した毛玉による遮光によって、毛玉の検出を行う方法が提案されている（例えば、特許文献４参照）。しかしながら、この方法では投光手段と受光手段をシート状の糸条の側方に投光手段と受光手段を配す必要があるため、シート状の糸条の生産性を上げるためにシート状の糸条を平行に複数並べて生産する場合においては、適用が難しい問題がある。
【特許文献１】特開平１１−１８３９号公報
【特許文献２】特開平７−３００２８０公報
【特許文献３】特開２００４−２７７９３８公報
【特許文献４】特開昭６１−１１４１１５公報
【発明の開示】
【発明が解決しようとする課題】
【００１１】
本発明の目的は、上記した従来の問題点を解決し、高精度にシート状の糸条の欠陥、特にシート状の糸条上に発生した毛羽や毛玉をオンラインで検査し、また前記シート状の糸条の欠陥の種類や大きさを特定する糸条の欠陥検査方法および検査装置を提供すること、ひいてはその検査方法を用いて得られたデータによりシート状の糸条の品質管理をオンラインで行う、糸条の品質管理方法を提供することにある。
【課題を解決するための手段】
【００１２】
上記目的を達成するために、本発明は次の構成を採用する。すなわち、
（１）一方向に並行に引きそろえられた単繊維の束からなる糸条に測定光を照射し、前記糸条からの反射光を受光し、前記反射光の光強度から欠陥を検査する方法において、前記欠陥が単繊維が切れて絡み合い、前記糸条と異なる方向を含む複数の単繊維の集合体であって、前記測定光を前記糸条の幅を超えた範囲に照射し、かつ前記糸条の幅を超えた受光面をもつ受光手段により、前記単繊維の集合体によって前記測定光が前記受光手段の光軸と異なる方向へ反射されることによる前記反射光の光強度の減少を検出することで糸条の欠陥を検査することを特徴とする糸条の欠陥検査方法。
（２）一方向に並行に引きそろえられた単繊維の束からなる糸条に測定光を照射し、前記糸条からの透過光を受光し、前記透過光の光強度から欠陥を検査する方法において、前記欠陥が単繊維が切れて絡み合い、前記糸条と異なる方向を含む複数の単繊維の集合体であって、前記測定光を前記糸条の幅を超えた範囲に照射し、かつ前記糸条の幅を超えた受光面をもつ受光手段により、前記単繊維の集合体によって前記測定光が遮光されることによる前記透過光の光強度の減少を検出することで糸条の欠陥を検査することを特徴とする糸条の欠陥検査方法。
（３）一方向に並行に引きそろえられた単繊維の束からなる糸条を検査する方法であって、前記（１）に記載の方法と前記（２）に記載の方法を併用または使い分けることを特徴とする糸条の欠陥検査方法。
（４）前記測定光がシート光で、該シート光の糸条の走行方向の厚さが１〜１０ｍｍであることを特徴とする前記（１）または（２）に記載の糸条の欠陥検査方法。
（５）前記測定光がシート光で、該シート光が、前記糸条と交差し、かつ前記シート光の面と前記糸条の面とのなす角θが６０〜１２０度の範囲である前記（１）〜（４）のいずれかに記載の糸条の欠陥検査方法。
（６）前記測定光および前記受光手段の幅と前記糸条の幅との差が１〜４０ｍｍである前記（１）〜（５）のいずれかに記載の糸条の欠陥検査方法。
（７）前記（１）〜（６）のいずれかに記載の方法で得られた、前記糸条の欠陥の検査結果をもとに糸条の品質管理を行うことを特徴とする糸条の品質管理方法。
（８）前記（１）〜（６）のいずれかに記載の方法で得られた、前記糸条の欠陥の検査結果をもとにパッケージ毎の品質管理を行うことを特徴とするパッケージの品質管理方法。
（９）一方向に並行に引きそろえられた単繊維の束からなる糸条に測定光を照射する手段と、前記糸条からの反射光を受光する手段とを用いて、前記反射光の光強度から糸条の欠陥を検査する装置において、前記欠陥が単繊維が切れて絡み合い、前記糸条と異なる方向を含む複数の単繊維の集合体であって、前記測定光を照射する手段が、前記測定光を前記糸条の幅を超えた範囲に照射するものであり、かつ前記反射光を受光する手段が、前記糸条の幅を超えた受光面をもち、前記単繊維の集合体によって前記測定光が前記受光手段の光軸と異なる方向へ反射されることによる前記反射光の光強度の減少を検出することで糸条の欠陥を検査するものであることを特徴とする糸条の欠陥検査装置。
（１０）一方向に並行に引きそろえられた単繊維の束からなる糸条に測定光を照射する手段と、前記糸条からの透過光を受光する手段とを用いて、前記透過光の光強度から糸条の欠陥を検査する装置において、前記欠陥が単繊維が切れて絡み合い、前記糸条と異なる方向を含む複数の単繊維の集合体であって、前記測定光を照射する手段が、前記測定光を前記糸条の幅を超えた範囲に照射するものであり、かつ前記透過光を受光する手段が、前記糸条の幅を超えた受光面をもち、前記単繊維の集合体によって前記測定光が遮光されることによる前記透過光の光強度の減少を検出することで糸条の欠陥を検査するものであることを特徴とする糸条の欠陥検査装置。
（１１）一方向に並行に引きそろえられた単繊維の束からなる糸条に測定光を照射する手段と、前記糸条からの反射光および／または透過光を受光する手段とを用いて、前記反射光および／または透過光の光強度から糸条の欠陥を検査する装置において、前記欠陥が単繊維が切れて絡み合い、前記糸条と異なる方向を含む複数の単繊維の集合体であって、前記測定光を照射する手段が、前記測定光を前記糸条の幅を超えた範囲に照射するものであり、かつ前記反射光および／または前記透過光を受光する手段が、前記糸条の幅を超えた受光面をもち、前記単繊維の集合体によって前記測定光が遮光されることによる前記反射光および／または前記透過光の光強度の減少を検出することで糸条の欠陥を検査するものであることを特徴とする糸条の欠陥検査装置。
（１２）被検査糸条の幅が１０〜３０ｍｍであれば反射光を受光することにより、被検査糸条の幅が５ｍｍ以下であれば透過光を受光することにより、被検査糸条の幅が５〜１０ｍｍであれば反射光および／または透過光を受光することにより、糸条の欠陥を検査することを特徴とする前記（１１）に記載の糸条の欠陥検査装置を使用する糸条の欠陥検査方法。
【発明の効果】
【００１３】
本発明によれば、一方向に並行に引きそろえられた単繊維の束からなり、無撚りで、かつ薄くて幅の広い扁平である、シート状の糸条の欠陥、特にシート状の糸条に発生した毛羽や毛玉を精度良く検出し、シート状の糸条の欠陥の種類を判定し、またシート状の糸条の欠陥の大きさを測定することができる。また、本発明を用いることにより、シート状の糸条が狭い間隔で複数平行に並んで生産されている工程においても、シート状の糸条に発生した毛玉を精度良く検出することができ、またシート状の糸条の生産中にシート状の糸条がその幅方向にズレるような問題が生じても、安定してシート状の糸条の欠陥を検査することが可能になる。
【発明を実施するための最良の形態】
【００１４】
以下、本発明を、図面を参照しながら、より詳細に説明する。図２は本発明に係わるシート状の糸条の欠陥検査装置の第１の形態を模式的に示す構成ブロック図であり、図４はその光学系部分を側面から見た図（Ａ）および上面から見た図（Ｂ）である。また、図３は本発明に係わるシート状の糸条の欠陥検査装置第２の形態を模式的に示す構成ブロック図であり、図５はその光学系部分を側面から見た図（Ａ）および上面から見た図（Ｂ）である。
【００１５】
図２においては、シート状の糸条１に対してその一面上に投光手段２と受光手段６が設けられており、前記受光手段６により得られた信号は判定手段７を通り、データ処理手段８に導かれ、そこで欠陥と判定された信号のみが記録手段９に記録され、シート状の糸条の品質管理およびパッケージの品質管理に活用される。
【００１６】
一方で、図３においては、シート状の糸条１を挟んで反対の面上に投光手段２と受光手段６が設けられており、前記受光手段６により得られた信号は判定手段７を通り、データ処理手段８に導かれ、そこで欠陥と判定された信号のみが記録手段９に記録され、シート状の糸条の品質管理およびパッケージの品質管理に活用される。
【００１７】
ここで、本発明において、パッケージとは、巻き取り機によって糸条がパッケージ状に巻き取られてなるパッケージ状の糸条パッケージのことを言う。
【００１８】
また、シート状の糸条１は、一方向に引きそろえられた単繊維の束からなる。また、検査対象とするシート状の糸条の欠陥とは、シート状糸の製造の過程で発生した単繊維切れにより、切れた単繊維が絡み合って、前記糸条と異なる方向を含む複数の単繊維の集合体となり、その単繊維の数や絡み合い方により、毛羽あるいは毛玉となったものである。その異なる方向を含む複数の単繊維の集合体である毛羽や毛玉により、前記測定光が前記受光手段の光軸と異なる方向に反射される、あるいは遮光されることにより、受光手段に入射する反射光が減少する。
【００１９】
また、検出可能な欠陥は、前記糸条と異なる方向を含む複数の単繊維の集合体を含み、シート状の糸条に発生した際に顕著な反射光量変化を生じるものであれば特に限定されるものではなく、例えば、糸割れ、糸切れ、シート形状の崩れなどの欠陥も検出可能である。
【００２０】
本発明において、シート状の糸条１の一面に対し投光手段２から前記シート状の糸条幅を超えた幅を持つシート状の測定光３を照射し、前記シート状の糸条面での正反射光４を、前記シート状の糸条幅を超えた受光幅を持つ受光手段６により受光することで、正反射光量の変化から、シート状の糸条の欠陥を検出することができるし、一方で前記シート状の糸条面での透過光５を、前記シート状の糸条幅を超えた受光幅を持つ受光手段６により受光することで、透過光量の変化から、シート状の糸条の欠陥を検出することができる。
【００２１】
また、投光手段２により照射する測定光３は、測定に必要なシート状の糸条からの十分な反射光量が得られるものであれば、光強度、波長、ともに限定されないが、投光手段の動作確認や保守性の面から６００〜８００ｎｍの可視領域の波長を用いることが好ましく、また投光手段２より照射される測定光３の形状は、図８に示すように、前記シート状の糸条の幅を超えたシート光であることが好ましく、さらに好ましくは光がレーザー光であることが好ましい。また、図８において、αはシート光の幅を示し、βはシート光の糸条の走行方向の厚さを示している。
【００２２】
シート状の糸条の幅を超えたシート光を、シート状の糸条に対して照射することにより、図１０に示すように、生産中にシート状の糸条が側方にズレて移動した場合でも、シート状の糸条のズレがシート状の糸条の幅を超えて照射された測定光の範囲内であり、かつその正反射光もしくは透過光がシート状の糸条の幅を超えた受光部を持つ受光手段により受光可能であるならば、精度良く安定したシート状の糸条の欠陥の検出が可能である。好ましくは、前記測定光と前記受光手段の幅と前記糸条の幅との差が１〜４０ｍｍであることが良い。これは、差が小さすぎると、シート状の糸条のズレが、シート状の糸条の幅を超えて照射された測定光の範囲から外れてしまい、また差が大きすぎると、シート状の糸条を並行に複数並べて生産する場合においては、隣の糸条にまでシート光が照射され、その干渉により精度の良い測定を行うことが難しいためである。
【００２３】
また、測定光３をシート光とすることで、一般的な円形のスポット光と比較し、照射光の幅方向の光強度を一定にすることができ、よって幅方向に均一な反射光を得ることできるため、結果としてシート状の糸条の幅方向のいかなる部分に発生したシート状の糸条の欠陥でも、精度良く検出することが可能になる。
【００２４】
また、好ましくは、前記シート光の前記糸条の走行方向の厚さが１〜１０ｍｍの範囲のものとすることにより、糸条に照射される単位面積あたりの測定光の強度を上げることができ、結果として受光手段により受光する反射光の強度も上がるため、より高精度な欠陥の検査が可能になる。
【００２５】
投光手段２の位置については、前記第１の形態（前記シート状の糸条面での正反射光４を受光する構成）の際は、前記投光手段２と受光手段６とがシート状の糸条の同一面上にあり、かつシート光がシート状の糸条の幅を超えて照射される位置であれば特に限定はされないが、前記シート状の糸条の幅方向と前記シート光の幅方向とが平行になるようにシート光が照射される位置に配すことにより、シート状の糸条幅方向に対し均一な光を受光手段に入射させることができるため、好ましい。
【００２６】
また好ましくは、図４（Ａ）に示すように、シート状の糸条の側方より見た場合、シート状の糸条とシート光の面とのなす角θが６０〜１２０度となるように投光手段を配置することにより、シート光の正反射成分を受光手段で受光する際に、受光手段の配置場所を投光手段に近づけることができるため、コンパクトな装置構成とすることができ、またシート状の糸条から距離を取ることができるため、シート状の糸条との接触や糸切れ時の巻きつきなどを防止することができるため、より好ましい。
【００２７】
さらに好ましくは、図６に示すように、シート状の糸条とシート光の面とのなす角θが９０度となるように投光手段を配すことにより、その測定光の正反射光を受光する受光手段を投光手段とほぼ同一軸上に一体化させて配すことができるようになり、よってさらにコンパクトな装置構成とでき、また投光手段と受光手段を固定する治具が一つで良いこと、投光手段および受光手段の角度調整作業が簡易となり、また光軸ズレが生じ難くなることから、より好ましい。
【００２８】
一方で、前記第２の形態（シート状の糸条面での透過光５を受光する構成）の際には、前記投光手段２と受光手段６とがシート状の糸条を挟んで反対の面上にあり、かつシート光がシート状の糸条の幅を超えて照射される位置であれば特に限定はされないが、前記シート状の糸条の幅方向と前記シート光の幅方向とが平行になるようにシート光が照射される位置に配すことにより、シート状の糸条幅方向に対し均一な光を受光手段に入射させることができるため、好ましい。
【００２９】
また好ましくは、図５（Ａ）に示すように、シート状の糸条の側方より見た場合、シート状の糸条とシート光の面とのなす角θが６０〜１２０度となるように投光手段を配置することにより、シート光の透過成分を受光手段で受光する際に、シート状の糸条から距離を取ることができるため、シート状の糸条との接触や糸切れ時の巻きつきなどを防止することができるため、より好ましい。
【００３０】
また、もしも設置可能な十分なスペースがあるならば、図７に示すように、シート状の糸条を上部から見たさいに、その側方に投光手段２と受光手段６を配し、透過光の減少から欠点検出を行っても良い。しかし、これはシート状の糸条を平行に複数並べて生産する場合においては、糸条間隔が短く設置に十分なスペースが無いため適用が難しいことがある。
【００３１】
また、１つの欠陥検査手段により１糸条の検査を行う際は、シート状の糸条上の測定箇所と投光手段の測定光照射部との距離は５〜２５０ｍｍとすることが好ましい。これはシート状の糸条上の測定箇所と投光手段との距離が近すぎると、投光手段とシート状の糸との接触や糸切れ時の巻きつきなどの問題が発生するためであり、また遠すぎると測定光の強度が下がり、よって検出が困難となることや、投光手段の機械的振動の影響による測定光の変動が拡大し、よって糸条からの反射光や透過光の変動も拡大するため、安定した検出を行うことが困難となるためである。特に、一般的な受光手段の受光面の大きさに制限があることから、機械的振動の大きさと受光面の大きさとを考慮した際に受光面に安定して測定光を入射させるためには、シート状の糸条上の測定箇所と投光手段の測定光照射部との距離を２５０ｍｍ以内とすることが好ましい。しかし、１つの投光手段により複数糸条に測定光を照射する際にはこの限りではなく、測定光の照射範囲に測定対象の糸条が全て収まるように、投光手段の設置高さを設定することが好ましい。
【００３２】
シート光の照射方法としては、図１１に示すように、レーザーやその他の光源からの光を細長い長方形の溝を掘ったスリットに通したり、またシリンドリカルレンズなどで横方向に長く伸ばすことにより、シート形状にすることができる。またレーザー光をポリゴンミラーで高速に走査させることによりシート光としても良い。レーザー光源としては、ガスレーザー、固体レーザー、半導体レーザーなどを用いることができ、またそれ以外の光源として発光ダイオード、白色光源、ネオン管などを用いても良く、また白色光源からの光を狭帯域フィルターを通して準単色光にしても良い。
【００３３】
受光手段としては、光量値を電気信号に変換する素子として、フォトダイオードやイメージセンサを用いることが好ましい。また光ファイバなどを用いてそれら受光素子に光を導入しても良い。また受光手段の大きさは、多少糸道がずれた場合でもシート状の糸条上からのシート光の正反射光を安定して受光可能なように、シート状の糸条以上の幅を持つことが好ましい。
【００３４】
ここで、前記第１の形態において正反射光４を受光する構成にする意味は、透過光方式は糸の光の透過性が低く、かつ糸幅が太い場合においては、糸による遮光により受光手段に入射する光が極端に少なくなることから適用することが難しい。また散乱反射光を用いた場合には測定精度が糸の測定光の反射率に大きく影響されること、また糸切れや糸割れといった反射光量が純粋に減少するシート状の糸条の欠陥を検出することができないなどの問題があるからである。
【００３５】
一方で、前記第２の形態において透過光５を受光する構成にする意味は、反射光方式は糸の光の透過性が高い場合には測定光が糸を透過してしまうために反射光量が少なくなるために適用できず、または糸の光の透過性が低い場合においても糸幅が細い場合は、糸による正反射光量の絶対量が少なくなり、よって受光手段に入射する光が少なくなることから精度の良い測定を行うことが適用することが難しくなるためである。
【００３６】
糸の光の透過性が低い場合には、検査対象とするシート状の糸条の糸幅の太さにより、図２に示す正反射光を受光する構成と、図３に示す透過光を受光する構成を使いわける構成とすることが好ましく、糸条からの反射光量や一般的な受光手段の幅を考慮すると、前記糸条の糸幅が5〜30ｍｍであれば反射光を受光する構成が好ましく、前記糸条の糸幅が10ｍｍ以下であれば透過光を受光する構成が好ましい。前記糸条の糸幅が5〜10ｍｍである場合は、どちらの構成としても構わないが、実際に製造されるシート状の糸条の品種毎の糸幅の分布や、双方の構成を取った場合のテスト欠点検出データを用いた検出精度の比較結果などから適した方を選ぶのが良い。
【００３７】
また、好ましくは、同一のシート状の糸条の製造ラインに双方の構成を同時に設置し、そのラインにおいて製造されるシート状の糸条の品種毎の糸幅の太さによって、いずれか一方の適した構成を選び使用することが良い。それにより、製造ラインにおける品種交換や合糸によってシート状の糸条の糸幅に大きな変化が生じても、安定して検査することが可能となり、好ましい。その際は、図９（Ａ）に示すように双方の構成を１セットずつ設置しても良いし、図９（Ｂ）に示すように投光手段２を共通の物とし、正反射光と透過光とを受光可能なように、それぞれ受光手段を配す構成としても良い。
【００３８】
受光手段６の入射部の形状については、長方形である方が、例えば円形であることと比較し、幅方向で均一にシート状の糸条上からのシート光の正反射光あるいは透過光を受光可能であるため、結果としてシート状の糸条の幅方向のいかなる部分に発生した毛玉でも、精度よく検出することが可能になるため、好ましい。また円形の入射部を用いた場合でも、受光手段の直前に細長い長方形の溝を掘ったスリットを置いたり、シリンドリカルレンズなどを置くことにより、長方形の受光部と同様の効果を得ることができ、好ましい。
【００３９】
また、前記受光手段の幅は、前記測定光の幅と同様の理由で、前記糸条の幅との差が１〜４０ｍｍであることが好ましい。
【００４０】
また、受光手段の位置としては、前記第１の形態（シート状の糸条面での正反射光４を受光する構成）の際にはシート状の糸条に対して投光手段と同一面上であり、シート状の糸条からの測定光の正反射光を受光可能、かつシート状の糸条上からのシート光の正反射光の幅方向成分が受光手段の光入射部に全て入射可能な位置であれば特に限定されない。好ましくは、前記シート光の正反射光の幅方向と受光手段の光入射部とが平行になるようにシート光が照射される位置に配すことにより、シート状の糸条幅方向に対し均一な光を受光手段に入射させることができるため、好ましい。
【００４１】
一方で、前記第２の形態（シート状の糸条面での透過光５を受光する構成）の際には、前記投光手段２と受光手段６とがシート状の糸条を挟んで反対の面上にあり、かつシート状の糸条からの測定光の透過光を受光可能、かつシート状の糸条上からのシート光の透過光の幅方向成分が受光手段の光入射部に全て入射可能な位置であれば特に限定されない。好ましくは、前記シート光の透過光の幅方向と受光手段の光入射部とが平行になるようにシート光が照射される位置に配すことにより、シート状の糸条幅方向に対し均一な光を受光手段に入射させることができるため、好ましい。
【００４２】
さらに好ましくは、シート状の糸条と受光手段との距離が遠いと、シート状の糸条からの正反射光あるいは透過光の強度が下がり、よって精度良く測定を行うことが難しくなるため、シート状の糸条上の測定箇所と受光手段の受光部との距離は２５０ｍｍ以下とすることが好ましい。
【００４３】
受光手段６により、電気信号に変換された光量信号は判定手段７に導かれるが、判定手段７に導かれる手前で、例えば、毛玉による受光量の短期的変動のみを出力する微分処理を行う電気的回路や、毛玉以外の受光量の長期的変動のみを除去するハイパスフィルタなどの信号処理手段を設けることにより、より高精度なシート状の糸条の欠陥検査が可能となり、好ましい。
【００４４】
判定手段７では光量信号とあらかじめ設定した任意の閾値との比較が行われ、光量信号の変動パターンのピーク値もしくはピーク幅が閾値を越えた光量信号について、閾値を越えた部分の光量信号パターンのみが抽出され、データ処理手段８に導かれる。
【００４５】
データ処理手段８には、あらかじめシート状の糸条の欠陥の種類や大きさと光量信号パターンとの対応データと、毛玉の糸の長手方向に沿う長さと光量信号パターンのピーク幅との関係を示す関係式、および毛玉の幅方向に沿う長さと光量信号パターンのピーク高さとの関係を示す関係式が記録されている。得られた光量信号パターンについて、その対応データや関係式と比較することにより、光量信号パターンから欠陥の種類や大きさが特定され、検出された糸条の欠陥データへと変換される。
【００４６】
以下、具体的に欠陥の種類の判定方法とその大きさの測定方法とについて説明する。
【００４７】
先ず、毛玉欠陥の大きさ測定方法について説明する。図１２は、本発明の一つの好ましい実施形態によって、シート状の糸条の欠陥のひとつである、シート状の糸条上に発生した毛玉の検出を行った形態図である。複数の単繊維切れが発生し、切れた単繊維がまとまることによって発生する毛玉は、その形状はさまざまであるが、例えば図１３に示すような糸の長手方向に沿う長さがＸ、幅方向に沿う長さがＹの楕円形の形状の毛玉が発生すると、前記毛玉を検出したセンサの光量信号パターンは図１４に示すようなピークをもつパターンとなる。
【００４８】
すなわち、センサの受光量出力変化に表れたピークの時間幅は、糸の長手方向に沿う長さＸに対応し、ピークの高さは、幅方向に長いシート光の遮光量に依存するため、毛玉の幅方向に沿う長さＹに対応する。したがって、得られた光量信号パターンのピーク幅および高さから、発生した毛玉の糸の長手方向に沿う長さと、幅方向に沿う長さを求めることができる。
【００４９】
具体的には、発生した毛玉のシート状の糸条の長手方向に沿う長さについては、速度ｖで走行し長手方向の長さがｘである毛玉が、シート状の糸条の長手方向に沿う長さがＬのセンサスポット光を遮り、光量信号パターンに影響を与える時間（ピーク幅）ｔは、
ｔ＝（ｘ＋Ｌ）／ｖ  ・・・（１）
と算出することができる。また、発生した毛玉の幅方向に沿う長さについては、センサ光がシート光であり、またセンサスポット光の形状がシート状の糸条の幅方向に長い長方形形状であることから、毛玉の幅方向に沿う長さＹは、毛玉がセンサスポット光を遮る面積を決定し、よって得られた光量信号パターンのピーク高さと相関を持つ。よって、光量信号パターンのピーク値と毛玉の幅方向に沿う長さとの関係を示す関係式が、検量線データとしてあらかじめ前記判定手段７に記録されており、検量線データと得られた光量信号パターンのピーク値とを比較することにより、毛玉のシート状の糸条の幅方向に沿う長さを求めることができる。
【００５０】
検量線データと得られた光量信号パターンのピーク値との比較は、データ処理手段８に記録されている前記関係式に光量信号パターンのピーク値の値を代入し、演算することにより行う。また検量線データは、事前に、既知の大きさの毛玉の測定を行い、その光量信号パターンのピーク値を該装置に記録しておく。この作業を少なくともシート状の糸条の幅方向に沿う長さが異なる２種類以上の毛玉について行うことにより、検量線データを作成できる。
【００５１】
次に、シート状の糸条に糸割れ欠陥が発生した時は、第１の形態の際には、部分的にシート状の糸条からの反射光がなくなるため、毛玉の際と同様に受光量が減少するピークを持つ光量信号パターンが現れる。一般的に糸割れ欠陥は、毛玉と比較しシート状の糸条長手方向に長い距離にわたって発生するため、図１４に示す光量信号パターンにおいて、ピーク幅が長い光量信号パターンが発生する。一方、第２の形態の際には、部分的に透過光量が多くなるため、ピーク幅が長い、受光量が増加する光量信号パターンが発生する。
【００５２】
また、発生したシート状の糸条の欠陥が糸切れであった際は、第１の形態の際には、完全にシート状の糸条からの反射光がなくなるため、図１５に示すように受光量が０となる光量信号パターンが発生する。一方、第２の形態の際には、シート状の測定光を妨げるものが無くなるため、受光量が増加する光量信号パターンが発生する。
【００５３】
また、発生したシート状の糸条の欠陥がシート形状の崩れだった場合は、双方の形態において、走行するシート状の糸条表面の走行方向の不均一差から、シート状の糸条からの反射光が激しく変動するため、図１６に示すように受光量が激しく変動する光量信号パターンが発生する。
【００５４】
よって、上記のように、光量信号のピーク幅および高さからシート状の糸条の欠陥の大きさを、光量信号の変動パターンからシート状の糸条の欠陥の種類を判定することができる。
【００５５】
データ処理手段８により得られたシート状の糸条欠陥検査結果は、記録手段９により記録され、あらかじめ記録手段９に入力されたシート状の糸条の品位判定基準と記録された前記シート状の糸条欠陥検査結果とを比較することにより、シート状の糸条の品位を決定し、シート状の糸条の品質管理に用いることができる。
【００５６】
また、好ましくは、外部からのパッケージ巻取り開始信号および巻き取り終了信号のどちらか、あるいは両方を用いることにより、パッケージ毎の欠点発生数や欠点種類を記録手段９に記録するとよい。それにより、パッケージ毎の品質を自動で判定し、管理することが可能となる。
【実施例】
【００５７】
以下、実施例に基づいて本発明をさらに具体的に説明する。
【００５８】
実施例１
シート状の糸条の欠陥検査装置における、シート光の投光手段および反射光の受光手段として、エリア型ファイバーセンサ（（株）キーエンス製）を使用した。その構成は以下のとおりである。
【００５９】
光源：赤色発光ダイオード
波長：６４０ｎｍ
出力：９９０ｍｗ
投光部幅：１３ｍｍ
シート状の糸条に対する入射角：８５〜９５度
シート状の糸条までの距離：１５ｍｍ
受光部幅：１３ｍｍ
投光部・受光部の形状：長方形
照射される光の形状（測定光の形状）：シート光
シート光の糸条の走行方向の厚さ：７ｍｍ
測定光および受光手段の幅とシート状の糸条の幅との差：６〜７ｍｍ
投光部と受光部の位置関係：投光部・受光部一帯型のセンサである。
【００６０】
センサとシート状の糸条との位置関係：センサのシート状の糸条の幅方向と投光部及び受光部の幅方向とが平行となるように設置
上記のセンサを用いて、アクリル系炭素繊維前駆体製造工程最終部において、前記第1の形態の構成で設置し、２００ｍ／分で回転するローラーにより走行する、４０００本の単糸からなり幅が７〜８ｍｍであるアクリル系炭素繊維前駆体であるシート状の糸条上に発生した毛玉について、閾値をピーク幅１．５ｍｓ、ピーク高さ１．５Ｖと設定して検出を行ったところ、ピーク幅１．５ｍｓ、ピーク高さ２．０Ｖの毛玉によるセンサの光量信号パターンが得られた。
【００６１】
したがって、ローラーの回転速度が２００ｍ／分であり、ローラーにより搬送される前記シート状の糸条の速度も同様であること、またシート状の糸条表面に照射したセンサスポット光の幅が３ｍｍであることから、本実施例で検出された毛玉による光量信号パターンのピーク幅ｔは、
ｔ＝（ｘ＋３）／（２００×１０−３×１０−３／６０）＝１．５  ｍｓ  ・・・（２）
と表せることから、毛玉のシート状の糸条の長手方向に対する長さｘは、およそ２．０ｍｍであると算出することができる。
【００６２】
また図１７に、あらかじめ大きさ０．５ｍｍ〜３．０ｍｍの毛玉サンプルを用いて作成した検量線データを示す。本実施例で検出された毛玉のピーク高さが２．０Ｖであったことから、前記検量線データから、毛玉のシート状の糸条の幅方向に沿う長さＹは２．２ｍｍであることがわかった。
【００６３】
また、一方で、前記光量信号パターンが生じた際の、シート上に実際に出現した毛玉について、シート状の糸条上部より撮影を行ったビデオカメラの映像によりその大きさを確認したところ、確かにシート状の糸条の長手方向に沿う毛玉の長さがおよそ２．０ｍｍであり、幅方向に沿う長さＹはおよそ２．２ｍｍであることを確認した。
【００６４】
実施例２
アクリル系炭素繊維前駆体製造工程最終部において、速度２００ｍ／分で走行する、４０００本の単糸からなり幅が７〜８ｍｍであるアクリル系炭素繊維前駆体であるシート状の糸条について、本発明の糸条の欠陥検査方法を、正反射光を受光する構成で、アクリル系炭素繊維前駆体製造工程最終部に設置し、適用したところ、パッケージの巻き取り開始から巻き取り終了までの検査時間において、表１に示す検査結果を得た。
【００６５】
【表１】
2008203251.tif 000003
【００６６】
あらかじめ各パッケージの品位判定基準を、暫定的に、検出された毛玉のシート状の糸条の幅方向に沿う長さが２ｍｍ以上の毛玉数が５個以下でかつ４ｍｍ以上の毛玉が０個ならば１級糸、２ｍｍ以上の毛玉数が１０個以下でかつ４ｍｍ以上の毛玉が２個以下ならば２級糸、それ以外ならば３級糸と定めた。その上で、表１に示す検出結果と前記品位判定基準とを比較することにより、毛玉の検出を行ったシート状の糸条を巻き取って形成されたパッケージの品位を、オンラインで、３級と判定することができた。
【００６７】
また、暫定的に、各糸条で毛玉を合計２０個以上検出した段階で、シート状の糸条の製造工程の巡回・点検を行うように管理基準を定めることにより、早期に異常を発見することができ、歩留まりの向上を行うことができた。
【００６８】
実施例３
実施例１に記したエリア型ファイバーセンサ（（株）キーエンス製）を用いて、速度２００ｍ／分で走行する、２０００本の単糸からなり幅が３〜４ｍｍであるアクリル系炭素繊維前駆体であるシート状の糸条について、本発明の糸条の欠陥検査方法を、前記第２の形態の構成でアクリル系炭素繊維前駆体製造工程最終部において、各パッケージごとに巻き取り開始から終了までの一定時間適用したところ、表２に示す検査結果を得た。
【００６９】
【表２】
2008203251.tif 000004
【００７０】
あらかじめ各パッケージの品位判定基準を、暫定的に、各パッケージで毛玉の検出数が1個以下なら１級、２〜５個なら２級、それ以上ならば３級と定めた。その上で、表１に示す検出結果と前記品位判定基準とを比較することにより、毛玉の検出を行った各パッケージの品位を、自動で判定することができた。
【産業上の利用可能性】
【００７１】
本発明によれば、シート状の糸条上に発生した欠陥をオンラインで検査可能であり、また欠陥の種類や大きさの特定も可能であるため、炭素繊維前駆体であるアクリル系シート状の糸条の製造に好適に用いられるが、その応用範囲が、これらに限られるものではない。
【図面の簡単な説明】
【００７２】
【図１】本発明で検出対象とするシート状の糸条とシート状の糸条上の毛玉の一例を示す模式図であり、太い糸条の図（Ａ）と細い糸条の図（Ｂ）である。
【図２】本発明の一実施形態で用いられるシート状の糸条の欠陥検査装置において、第１の形態を示した構成模式図図である。
【図３】本発明の一実施形態で用いられるシート状の糸条の欠陥検査装置において、第２の形態を示した構成模式図である。
【図４】図２に示すシート状の糸条の欠陥検査装置において、第１の形態における光学系の側面図（Ａ）および上面図（Ｂ）である。
【図５】図３に示すシート状の糸条の欠陥検査装置において、第２の形態における光学系の側面図（Ａ）および上面図（Ｂ）である。
【図６】シート状の糸条の欠陥検査装置における光学系の一つの好ましい形態図である。
【図７】本発明の一実施形態で用いられるシート状の糸条の欠陥検査装置において、第２の形態における、シート状の糸条の側方に装置を設置した際の光学系の上面図である。
【図８】図２に示すシート状の糸条の欠陥検査装置におけるシート状の糸条に対して投光されるシート光の上面模式図である。
【図９】本発明の一実施形態で用いられるシート状の糸条の欠陥検査装置において、正反射光を受光する構成と透過光を受光する構成とをそれぞれ設置した構成図（Ａ）と同時に設置した構成図（Ｂ）である。
【図１０】本発明で検出対象とするシート状の糸条が側方にずれる様子を示した上面模式図である。
【図１１】本発明の他の実施形態を説明する模式図である。
【図１２】図２に示すシート状の糸条の欠陥検査装置におけるシート状の糸条上の毛玉に対して投光されるシート光の断面模式図である。
【図１３】本発明で検出対象とするシート状の糸条とシート状の糸条上の毛玉の一例を示す上面模式図である。
【図１４】本発明の一実施形態で得られる光量信号パターンの模式図である。
【図１５】本発明の他の一実施形態で得られる光量信号パターンの模式図である。
【図１６】本発明のさらに他の一実施形態で得られる光量信号パターンの模式図である。
【図１７】実施例で得られた光量信号パターンのピーク高さと、毛玉のシート状の糸条の幅方向に沿う長さとの関係を示すグラフである。
【符号の説明】
【００７３】
１：シート状の糸条
２：投光手段
３：測定光
４：正反射光
５：透過光
６：受光手段
７：判定手段
８：データ処理手段
９：記録手段
１０：毛玉
１１：ずれる前のシート状の糸条
１２：スリット
α：シート光の幅
β：シート光の糸条の走行方向の厚さ
【図１】
2008203251.tif 000005
【図２】
2008203251.tif 000006
【図３】
2008203251.tif 000007
【図４】
2008203251.tif 000008
【図５】
2008203251.tif 000009
【図６】
2008203251.tif 000010
【図７】
2008203251.tif 000011
【図８】
2008203251.tif 000012
【図９】
2008203251.tif 000013
【図１０】
2008203251.tif 000014
【図１１】
2008203251.tif 000015
【図１２】
2008203251.tif 000016
【図１３】
2008203251.tif 000017
【図１４】
2008203251.tif 000018
【図１５】
2008203251.tif 000019
【図１６】
2008203251.tif 000020
【図１７】
2008203251.tif 000021